(57)【要約】      （修正有）【課題】コードが露出せずにスッキリと収納でき、かつ複数の機器の同時充電が可能であるとともに、充電中の状態把握も容易な新規かつ有用なる小型電気機器用の充電補助体を提供する。【解決手段】上部開口を有する中空箱型のケースを設け、ケース内部にスイッチつき機能タップ１３を位置させ、該開口を塞ぐことのできる着脱式の後部天板５を設け、該後部天板適所に、コードを通すための側板切除部１１をもうけたことを特徴とする。【選択図】図１３
0003165521.tif 000002
【実用新案登録請求の範囲】
【請求項１】
上部開口を有する中空箱型のケースを設け、ケース内部にスイッチつき機能タップを位置させ、該開口を塞ぐことのできる着脱式の後部天板を設け、該後部天板適所に、コードを通すための切除部をもうけたことを特徴とする小型電気機器用充電補助体。
【請求項２】
ケース底板に複数個の巻回棒を植設してなる請求項１記載の小型電気機器用充電補助体。
【請求項３】
各切除部裏面に、円形孔および縁に連接するスリットを有する弾性シートを取り付けてなる請求項１又は２記載の小型電気機器用充電補助体。
【考案の詳細な説明】
【技術分野】
【０００１】  この考案は、携帯電話、デジタルカメラ、電気カミソリその他の小型電気機器を充電する際に使用して便利なる小型電気機器用充電補助体に関する。
【背景技術】
【０００２】  従来より、上述のような機器は内部バッテリーを有し、必要に応じて充電して用いるが、この充電時に使用して便利なる充電補助体は現在のところ見当たらない。
【考案が解決しようとする課題】
【０００３】  従来の充電方法は、充電しようとする機器に付属のコードの一端を、その機器の該当個所に差し込み、コードの他方に位置するプラグをコンセントもしくはコンセントに接続されたテーブルタップ等に差し込んで行うのが一般的である。しかしこれには以下のような問題がある。
すなわち、付属の充電コードはある程度の長さを有していることが多く、このコードが机上や床上に位置することで邪魔になりがちで、時にはこのコードに手や足が引っ掛かる場合がある。また複数の機器を充電するときには充電コードが絡みやすく、コンセントに対してはいわゆる蛸足配線となる。さらに充電中かどうかはプラグやソケットの差し込み状態を確認しなければならず、一目で充電状態の把握ができない。コンセントやテーブルタップの差し込み口が充電時に占有され、他の電気機器を使用するにはプラグを外さなければならない。また、従来の手段ではコードをコンセントやテーブルタップの差し込み口に接続したままにしておくと、コードが露出しているのでホコリが溜まりやすく、このホコリにより差し込み口でトラッキング現象をおこし発火の恐れがある。
本考案は、以上のような従来からの充電時の問題を解決するために考案されたもので、コードが露出せずにスッキリと収納でき、かつ複数の機器の同時充電が可能であるとともに、充電中状態の把握も容易なる新規かつ有用なる小型電気機器用の充電補助体を提供することを目的として考案されたものである。
【課題を解決するための手段】
【０００４】  課題を解決する手段として本考案は、以下の構成とした。
すなわち、分割された天板を有する中空箱型のケースを設け、該前部天板はケースに固着し、後部天板は着脱自在とし、後板と接する側の適所に切除部を設けた。本考案は以上の構成よりなる小型電気機器用充電補助体である。
なお、後述のように、弾性シートや巻回棒およびメモ収納部を付加した構成としてもよい。
【考案の効果】
【０００５】本考案は下記の効果を有する。
１．複数の小型電気機器の同時充電が可能であるとともに、コンセントの占有を排除できる。
２．充電しようとする電気機器に付属するコードをケース内に整理して収納でき、コードやタップに付着するホコリを防止し、ホコリによる差し込み口のトラッキング現象を防ぎ、発火を防止できる。また、従来の手段にありがちなコードの人体への引っ掛けを皆無とすることができる。
３．市販のスイッチつき機能タップとの併用にて、ランプ点灯による充電中状態の把握が容易である。
４．小型電気機器に付属する充電関連機器をまとめて設置するので、充電関連機器の散逸を防ぐことができる。
５．室内の特定個所による充電のため、コンパクトに使用できる。
【考案を実施するための最良の形態】
【０００６】  以下、本考案の実施形態について説明する。
図において、１は前板、２は側板、３は前部天板（左）、４は前部天板（右）、５は後部天板、６は後板、７は底板で構成される中空箱型の木製ケースである。６の後板の大きさ（高さ）は、他の部材より大きくケースの上面、下面に突出している。本ケース上面の開口を覆う天板は３の前部天板（左）、４の前部天板（右）と、５の後部天板に分割され、前部天板はケースに固着している。後部天板は天板裏面に固着されている８の後部天板嵌合板を介して前部天板下面にスライドして挿入出来る。以上にてケースが構成される。
９は後部天板の後板に接する面に設けられる長方形の切除部分である。
１７は弾性シートである。この弾性シートは正方形薄ゴム板であり、後部天板裏面の切除部を覆うように固着される。この弾性シートには円形孔１８が切除部と同配置にて穿設されるとともに、この円形孔の上部からシート上縁に至る切り込みによるスリット１９が形成される。【０００７】  １６は巻回棒で、底板表面に植設される棒体である。この巻回棒にコードを巻きつけた時に左右の側板、後板から余裕の取れる位置に等間隔で植設する。
この巻回棒は図１１に示すように、その上端は大径であるが下端は小径であり上端から下端に向かって徐々に太さが細くなる傾斜外径を有している。
１３は市販のスイッチつき機能タップで、本考案に付属させて用いるものである。このスイッチつき機能タップは、１２の機能タップ置き台と前部天板（左）、前部天板（右）、後部天板に挟み込まれて設置される。このスイッチつき機能タップは、その上面に４対のスイッチ１４と、後面に差し込み口１５を有し、コードとプラグ（図示略）が一体として設けられている。このコードとプラグは、１１の側板切除部をとおしてケースの外へ出される。
このスイッチを押すことによりスイッチ内部のランプが点灯し、このランプ位置に対応している差し込み口への電力が供給され、スイッチの復帰によりランプは消灯し電力の供給は断たれる。【０００８】  本考案の使用に際しては、図１３および図１４に示すように、後部天板上に小型電気器具付属コードのついた充電器具、充電機能つきスタンド、プラグ、ジャック等を配置し、後部天板切除部にコードを挿入して後部天板の裏側に出たコードの余長をケース内部に格納し、コード先端のプラグをスイッチつき機能タップの対応する位置の差し込み口に挿入する。
設置手順としては、後部天板を取り外し、後部天板上におく充電器具、充電機能つきスタンド、プラグ、ジャック等の位置と、接続されているコードの後部天板上に露出する長さを適宜決め、後部天板の切除部のゴム板スリットにコードを挿入する。
後部天板の裏面側に出されたコードは、丸めて結束バンドで束ねる、又は巻回棒間で巻き回しをする。あるいはビニルパイプの中に折り込むなどにより、コードの長さを調節して先端のプラグをスイッチつき機能タップの差し込み口に挿入する。その後、後部天板裏に固着されている後部天板嵌合板を前部天板の裏面にスライドさせて嵌めこみ、後部天板をケースに密着させ準備は完了する。
スイッチつき機能タップのスイッチを投入すると、スイッチ内のランプが点灯し、対応する差し込み口に電流が供給され、コードを介して電気機器に通電されて充電が開始される。充電終了後は電気機器からソケットを抜き、充電後の機器を使用することができる。
また、スイッチ部分は光通過素材にて形成されているので、点灯状態を外部から容易に認識することができる。
なお、本例においては、後部天板の切除部に弾性シートを用いており、コードの位置保持に便利である。コードをスリットに押し当てるとシートが歪んでコードは円形孔内へと導かれ、外力なしにコードは円形孔から出ることがないので、コードを常に円形孔内に位置させることができる。【０００９】  図１５は本考案の他例を示すもので、メモ収納部底板２０およびメモ収納部側板２１からなる収納空間で、該小型電気機器の取り扱い説明書等を収納することができるものであり、その他の部分は前例と同様である。
以上、本考案について記したが、既述のようにコードはケース内に巻き回して収納されるので、人体への引っ掛けの恐れはなく、ホコリの付着を防止できるとともに室内適所に位置させて使用するので充電位置が定まり、また複数個の小型電気機器の充電が同時に可能となるなど、種々の利点を有する充電用の補助体を得ることができる。なお、巻回棒は上部が大径のため、巻き回したコードの安定した収納が保たれるが、本例で用いた形状以外の他の棒体や管体を用いてもよい。なお、巻回棒の底板への植設位置は、必ずしも本例によらなくともよい。あるいは、巻回棒を装備せずに、コードを単に位置させる方式を用いることもできる。後部天板の切除部は４セットとしたが、必要に応じて増減して構成してもよい。
本例ではケースは木板を用いて構成したが、合成樹脂その他の素材を用いて構成してもよい。本品は床上、家具の上等において用いる以外に、後板の上下突出部にフックやビス穴等を設けて壁面に取り付けて用いてもよい。また、本例にて使用したスイッチつき機能タップに代えて、スイッチのない一般のテーブルタップとの併用も可能である。以上のごとく、本考案にて充電時に便利なる小型電気機器用の充電補助体を得ることができる。
【図面の簡単な説明】
【００１０】
【図１】本考案の平面図
【図２】本考案の正面図
【図３】本考案の左側面図
【図４】本考案の平面図（後部天板取り外し時）
【図５】本考案後部天板の平面図
【図６】本考案後部天板の正面図
【図７】本考案後部天板の底面図
【図８】要部拡大説明図（弾性シート部平面視）
【図９】本考案の平面図（スイッチつき機能タップ装着時）
【図１０】本考案の正面図（スイッチつき機能タップ装着時）
【図１１】Ａ−Ａ′断面図
【図１２】Ｂ−Ｂ′断面図
【図１３】本考案の使用状態説明図（斜視）
【図１４】本考案の使用状態説明図（平面視）
【図１５】本考案の他例の斜視図
【符号の説明】
【００１１】１    前板
２    側板
３    前部天板（左）
４    前部天板（右）
５    後部天板
６    後板
７    底板
８    後部天板嵌合板
９    後部天板切除部
１０  ゴム足
１１  側板切除部
１２  機能タップ置き台
１３  スイッチつき機能タップ
１４  スイッチ
１５  差し込み口
１６  巻回棒
１７  弾性シート
１８  円形孔
１９  スリット
２０  メモ収納部底板
２１  メモ収納部側板
【図１】
0003165521.tif 000003
【図２】
0003165521.tif 000004
【図３】
0003165521.tif 000005
【図４】
0003165521.tif 000006
【図５】
0003165521.tif 000007
【図６】
0003165521.tif 000008
【図７】
0003165521.tif 000009
【図８】
0003165521.tif 000010
【図９】
0003165521.tif 000011
【図１０】
0003165521.tif 000012
【図１１】
0003165521.tif 000013
【図１２】
0003165521.tif 000014
【図１３】
0003165521.tif 000015
【図１４】
0003165521.tif 000016
【図１５】
0003165521.tif 000017